(57)【要約】  本出願は、家電製品分野に関し、少なくとも、冷蔵室と、前記冷蔵室内に設けられる製氷室と、を含み、前記製氷室内部に製氷機が設けられ、前記製氷室は製氷冷凍システムによって冷気が供給され、前記製氷冷凍システムは、製氷蒸発器と、製氷風路と、製氷ファンと、を含み、前記製氷蒸発器は、前記製氷風路を介して前記製氷機に連通して、冷凍サイクルが形成され、前記製氷ファンは前記製氷風路に設けられ、前記製氷蒸発器は前記製氷室の外部に設けられ且つ前記冷蔵室の内部に位置する製氷機付きの冷蔵庫を提供する。本出願は、製氷蒸発器の有効面積を増加させ、製氷機の製氷速度を向上させ、製氷蒸発器の耐霜性を向上させ、製氷蒸発器の加熱除霜頻度を低下させ、エネルギー損失を低減させ、氷塊の表面品質を向上させることができる。
2021509944.tif 000002
【特許請求の範囲】
【請求項１】
冷蔵室と、
前記冷蔵室内に設けられ、内部に製氷機が設けられ、製氷冷凍システムによって冷気が供給される製氷室と、
を含み、
前記製氷冷凍システムは、
前記製氷室の外部に設けられ、且つ前記冷蔵室の内部に位置する製氷蒸発器と、
製氷風路と、
前記製氷風路に設けられる製氷ファンと、
を含み、
前記製氷蒸発器は、前記製氷風路を介して前記製氷機に連通して、冷凍サイクルが形成されることを特徴とする製氷機付きの冷蔵庫。
【請求項２】
前記製氷風路は、製氷送風路と製氷還風路とを含み、前記製氷蒸発器は、前記製氷送風路に位置し、前記製氷送風路は、前記冷蔵室の冷蔵ボックスライナーの内面に設けられる製氷風路シール面と、前記製氷蒸発器の外部に覆設され、且つ前記製氷風路シール面に密閉して接続する製氷風路カバーとを含むことを特徴とする請求項1に記載の製氷機付きの冷蔵庫。
【請求項３】
前記製氷風路シール面の外縁には、前記冷蔵ボックスライナー内に突出するシールリブが形成され、前記製氷風路カバーは、前記シールリブの外壁に密閉して係着されることを特徴とする請求項2に記載の製氷機付きの冷蔵庫。
【請求項４】
前記製氷還風路の下端は、前記製氷送風路の、前記製氷蒸発器の下方に位置する側壁に連通し、前記製氷還風路の上端は、前記製氷室の底部に連通し、前記製氷室内には、前記製氷機の下方に氷貯蔵タンクが設けられることを特徴とする請求項2に記載の製氷機付きの冷蔵庫。
【請求項５】
前記製氷機と前記製氷送風路との接続箇所が、シール構造によりシールされ、前記製氷送風路において前記製氷蒸発器の下方に霜取りヒータが設けられることを特徴とする請求項2に記載の製氷機付きの冷蔵庫。
【請求項６】
前記製氷風路カバーの内側に冷蔵ボックスライナーのシール板が設けられ、前記冷蔵ボックスライナーのシール板と前記製氷風路カバーとの間に隙間が残って、前記製氷還風路が形成されることを特徴とする請求項2に記載の製氷機付きの冷蔵庫。
【請求項７】
前記冷蔵室はシステム冷凍システムによって冷気が供給され、前記システム冷凍システムと前記製氷冷凍システムとはそれぞれ独立に設置され、前記システム冷凍システムは、システム蒸発器、システムファン、及び冷藏風路を含み、前記システム蒸発器は、前記冷藏風路を介して前記冷蔵室に冷気を供給し、前記システムファンは前記冷藏風路に設けられることを特徴とする請求項1に記載の製氷機付きの冷蔵庫。
【請求項８】
前記冷藏風路は、前記冷蔵室の冷蔵ボックスライナーの内面に形成される風路溝と、前記風路溝の表面に密閉して覆設された冷蔵風路カバーとを、含み、前記冷蔵風路カバーには、前記冷蔵室に連通する冷蔵空気出口が設けられることを特徴とする請求項7に記載の製氷機付きの冷蔵庫。
【請求項９】
前記システム蒸発器が冷蔵庫の前記冷蔵室又は冷凍室に設けられることを特徴とする請求項7に記載の製氷機付きの冷蔵庫。
【請求項１０】
冷凍システム全体は、順次に冷媒管路に設けられてループを形成する圧縮機、凝縮器、制御弁、絞り機構、蒸発器、及び還気管を含み、前記絞り機構は、システム絞り機構と製氷絞り機構とを含み、前記蒸発器は、前記製氷蒸発器とシステム蒸発器とを含み、前記制御弁は、第一分岐管路を介して順次に前記システム絞り機構と前記システム蒸発器に連通し、前記制御弁は、第二分岐管路を介して順次に前記製氷絞り機構と前記製氷蒸発器に連通し、
前記システム蒸発器を通った前記第一分岐管路は、前記製氷蒸発器に連通し、前記製氷蒸発器は、前記冷媒管路を介して前記還気管に連通し、又は、
前記システム蒸発器を通った前記第一分岐管路は、前記還気管に連通し、前記製氷蒸発器を通った前記第二分岐管路は、前記還気管に連通することを特徴とする請求項1に記載の製氷機付きの冷蔵庫。
【請求項１１】
前記製氷絞り機構は、第一製氷絞り構造と第二製氷絞り機構とを含み、前記第一製氷絞り構造と第二製氷絞り機構とは、並列接続して前記製氷蒸発器と接続されることを特徴とする請求項10に記載の製氷機付きの冷蔵庫。
【発明の詳細な説明】
【技術分野】
【０００１】
（関連出願)
本願は、2018年11月28日に出願された、名称が「製氷機付きの冷蔵庫」である中国特許出願第2018114360000号を引用し、その全体が本願において参照により援用されている。
【０００２】
本出願は、家電製品技術分野に関し、特に製氷機付きの冷蔵庫に関する。
【背景技術】
【０００３】
従来、製氷機に冷熱量を提供するための製氷蒸発器は、通常製氷室の内部に位置する。製氷室の外形サイズは大きすぎないため（大きすぎると容積を占め、且つユーザの通常の使用に影響する）、製氷蒸発器の外形サイズも制限され、製氷機の熱負荷需要により良く適合することができず、ひいては製氷速度及び製氷量に影響する。
【０００４】
また、製氷蒸発器の外形サイズが小さくなると、製氷蒸発器の有効面積が小さくなり、製氷蒸発器の耐霜性が悪くなり、実際の冷凍プロセスにおいて、製氷蒸発器の冷凍能力を回復するように頻繁に加熱除霜を行う必要がある。製氷蒸発器の頻繁な霜取りが製氷機の製氷速度に深刻な影響を及ぼし、エネルギー損失に繋がると共に、氷貯蔵タンク内の氷塊の表面温度を上昇させ、氷塊を一緒に凍結させ、氷塊の品質に影響を及ぼす。
【発明の概要】
【発明が解決しようとする課題】
【０００５】
本出願は、従来技術又は関連技術における技術課題の少なくとも一つを解決することを目的とする。
本出願の目的は、製氷機の製氷速度を向上させ、製氷蒸発器の耐霜性を向上させ、製氷蒸発器の加熱除霜頻度を低下させ、エネルギーの消費を低減させ、氷塊の表面品質を向上させるための製氷機付きの冷蔵庫を提供することである。
【課題を解決するための手段】
【０００６】
上記技術課題を解決するために、本出願の実施例は、少なくとも、
冷蔵室と、  冷蔵室内に設けられ（もちろん、冷蔵庫は、更に冷凍室、変温室等のほかの室を含んでもよい）、内部に製氷機が設けられ、製氷冷凍システムによって冷気が供給される製氷室と、を含み、製氷冷凍システムは、製氷室の外部に設けられ、且つ冷蔵室の内部に位置する製氷蒸発器と、製氷風路と、製氷風路に設けられる製氷ファンと、を含み、製氷蒸発器は、製氷風路を介して製氷機に連通して、冷凍サイクルが形成される製氷機付きの冷蔵庫を提供する。
【０００７】
本出願の実施例において、製氷風路は、製氷送風路と製氷還風路とを含み、製氷蒸発器は、製氷送風路に位置し、製氷送風路は、冷蔵室の冷蔵ボックスライナーの内面に設けられる製氷風路シール面と、製氷蒸発器の外部に覆設され、且つ製氷風路シール面に密閉して接続する製氷風路カバーとを含む。
【０００８】
本出願の実施例において、製氷風路シール面の外縁には、冷蔵ボックスライナー内に突出するシールリブが形成され、製氷風路カバーは、シールリブの外壁に密閉して係着される。
【０００９】
本出願の実施例において、製氷還風路の下端は、製氷送風路の、製氷蒸発器の下方に位置する側壁に連通し、製氷還風路の上端は、製氷室の底部に連通し、製氷室内には、製氷機の下方に氷貯蔵タンクが設けられる。
【００１０】
本出願の実施例において、製氷機と製氷送風路との接続箇所が、シール構造によりシールされ、製氷送風路において製氷蒸発器の下方に霜取りヒータが設けられる。
【００１１】
本出願の実施例において、製氷風路カバーの内側に冷蔵ボックスライナーのシール板が設けられ、冷蔵ボックスライナーのシール板と製氷風路カバーとの間に隙間が残って、製氷還風路が形成される。
【００１２】
本出願の実施例において、冷蔵室はシステム冷凍システムによって冷気が供給され、システム冷凍システムと製氷冷凍システムとはそれぞれ独立に設置され、システム冷凍システムは、システム蒸発器、システムファン、及び冷藏風路を含み、システム蒸発器は、冷藏風路を介して冷蔵室に冷気を供給し、システムファンは冷藏風路に設けられる。
【００１３】
本出願の実施例において、冷藏風路は、冷蔵室の冷蔵ボックスライナーの内面に形成される風路溝と、風路溝の表面に密閉して覆設された冷蔵風路カバーとを、含み、冷蔵風路カバー上には、冷蔵室に連通する冷蔵空気出口が設けられる。
【００１４】
本出願の実施例において、システム蒸発器が冷蔵庫の冷蔵室又は冷凍室に設けられる。
【００１５】
本出願の実施例において、冷凍システム全体は、順次に冷媒管路に設けられてループを形成する圧縮機、凝縮器、制御弁、絞り機構、蒸発器、及び還気管を含み、絞り機構は、システム絞り機構と製氷絞り機構とを含み、蒸発器は、製氷蒸発器とシステム蒸発器とを含み、制御弁は、第一分岐管路を介して順次にシステム絞り機構とシステム蒸発器に連通し、制御弁は、第二分岐管路を介して順次に製氷絞り機構と製氷蒸発器に連通し、
システム蒸発器を通った第一分岐管路は、製氷蒸発器に連通し、製氷蒸発器は、冷媒管路を介して還気管に連通し、又は、
システム蒸発器を通った第一分岐管路は、還気管に連通し、製氷蒸発器を通った第二分岐管路は、還気管に連通する。
【００１６】
本出願の実施例において、製氷絞り機構は、第一製氷絞り構造と第二製氷絞り機構とを含み、第一製氷絞り構造と第二製氷絞り機構とは、並列接続して製氷蒸発器と接続される。
【発明の効果】
【００１７】
従来技術に比べて、本出願は以下の利点がある。
【００１８】
本出願の実施例に係る製氷機付きの冷蔵庫は、冷蔵室内に製氷室が設けられ、製氷室の内部に製氷機が設けられ、前記製氷室は製氷冷凍システムによって冷気が供給され、前記製氷冷凍システムは、製氷蒸発器と、製氷風路と、製氷ファンと、を含み、前記製氷蒸発器は、前記製氷風路を介して前記製氷機に連通して、冷凍サイクルが形成され、前記製氷ファンは前記製氷風路に設けられ、前記製氷蒸発器は前記製氷室の外部に設けられ且つ前記冷蔵室の内部に位置し、冷蔵室内の空間が製氷室の空間よりもはるかに大きいため、製氷蒸発器の実装と製氷蒸発器の有効面積の増加に有利し、製氷機の熱負荷と、製氷蒸発器の面積とを、より合理的にマッチングすることができ、製氷機の製氷速度を向上させ、製氷蒸発器の耐霜性を向上させ、製氷蒸発器の加熱除霜頻度を低下させ、エネルギーの消費を低減させ、氷塊の表面品質を向上させることができる。
【００１９】
また、製氷蒸発器が製氷室の外部に設けられることで、製氷蒸発器の霜取りヒータが、製氷室及び製氷室内の氷貯蔵タンクから離れ、製氷蒸発器の加熱除霜時の製氷室内への伝熱、特に、氷貯蔵タンク内への伝熱が低減され、加熱除霜時の、氷貯蔵タンクの氷塊の氷塊表面が融解する問題が避けられる。
【図面の簡単な説明】
【００２０】
【図１】本出願の実施例に係る製氷機付きの冷蔵庫の軸方向断面図である。
【図２】本出願の実施例に係る製氷機付きの冷蔵庫の模式図である。
【図３】本出願の他の実施例に係る製氷機付きの冷蔵庫の模式図である。
【図４】本出願の実施例に係る製氷機付きの冷蔵庫における冷凍システム全体の接続のブロック図である。
【図５】本出願の他の実施例に係る製氷機付きの冷蔵庫における冷凍システム全体の接続のブロック図である。
【図６】本出願の更に他の実施例に係る製氷機付きの冷蔵庫における冷凍システム全体の接続のブロック図である。
【発明を実施するための形態】
【００２１】
以下、図面及び実施例を参照しながら、本出願の具体的な実施形態を詳細に説明する。以下の実例は、本出願を説明するためのものに過ぎす、本出願の範囲を制限するためのものではない。
【００２２】
本出願の説明において、「中心」、「縦方向」、「横方向」、「上」、「下」、「前」、「後」、「左」、「右」、「鉛直」、「水平」、「頂」、「底」、「内」、「外」等の用語で表す方位又は位置関係は、図示に基づく方位又は位置関係であり、本出願を容易に説明し説明を簡略化するためのものに過ぎず、示される装置又は素子が必ず特定の方位を有し、特定の方位において構造され、操作されると指示又は暗示するものではないため、本出願に対する限定と理解されるものではない。また、「第一」、「第二」、「第三」等の用語は、説明の便宜上使うものに過ぎず、その相対的な重要度を指示する又は暗示すると理解されるものではない。
【００２３】
本出願の説明において、明確な規定と限定がない限り、「取り付け」、「互いに接続」、「接続」などの用語の意味は広く理解されるべきであり、例えば、固定接続や、取り外し可能な接続や、または一体的な接続でも可能であり、機械的な接続や、電気的な接続でも可能であり、直接的に互いに接続することや、中間媒体を介して間接的に互いに接続することでも可能であり、また2つの素子の内部が連通することでも可能である。当業者にとって、具体的な状況に応じて上記用語の本出願での具体的な意味を理解することができる。
【００２４】
また、本出願の説明において、特に説明がない限り、「複数」、「複数本」、「複数組」とは二つ又は二つ以上を意味する。
【００２５】
図1‐3に示されるように、本出願の実施例には製氷機付きの冷蔵庫が提供され、筐体1を含み、筐体1には、少なくとも冷蔵室16が設けられ、もちろん、筐体1には、冷凍室、変温室等の室が設けられてもよく、冷蔵庫の具体的な形態は、具体的に限定されず、上部が冷蔵室、下部が二つの室であるクロス観音開きの冷蔵庫等であってもよい。前記冷蔵室16内には、製氷室2が設けられ、前記製氷室2内には、製氷機3と、前記製氷機3の下方に位置し製氷機3に製造された氷塊を貯蔵するように配置される氷貯蔵タンク6が設けられ、前記製氷室2が製氷冷凍システムによって冷気が供給される。前記製氷冷凍システムは、具体的に、製氷蒸発器7、製氷風路、及び製氷ファン5を含む。前記製氷蒸発器7は、前記製氷室2の外部に設けられ且つ前記冷蔵室16の内部に位置し、前記製氷風路を介して前記製氷機3に連通することで、冷凍サイクルが形成される。前記製氷ファン5は、前記製氷風路に設けられ、即ち、製氷蒸発器7の冷気は、製氷風路を通って製氷ファン5により製氷機3に送られ、熱交換され後、製氷風路を介して製氷蒸発器7に戻り、あらためて熱交換され、このように順次循環する。製氷ファン5は、冷気の流れ速度を速くし、冷凍サイクルを速くし、冷凍効率を向上させることができる。本出願では、製氷蒸発器7が製氷室2の外部、冷蔵室16の内部に設けられ、冷蔵室16内の空間が製氷室2の空間よりもはるかに大きいため、製氷蒸発器7の実装と製氷蒸発器7の有効面積の増加に有利し、製氷機3の熱負荷と、製氷蒸発器7の面積とを、より合理的にマッチングすることができ、製氷機3の製氷速度を向上させ、製氷蒸発器7の耐霜性を向上させ、製氷蒸発器7の加熱除霜頻度を低下させ、エネルギーの消費を低減させ、氷塊の表面品質を向上させることができる。
【００２６】
本出願の実施例において、具体的に、製氷風路は、製氷送風路と製氷還風路とを含み、前記製氷蒸発器7は、前記製氷送風路4に位置し、具体的に、製氷蒸発器7の形成される風室自身が製氷送風路4の一部を構成することができ、前記製氷送風路4は、前記冷蔵室16の冷蔵ボックスライナーの内面に設けられる製氷風路シール面10と、前記製氷蒸発器7の外部に覆設され、且つ前記製氷風路シール面10に密閉して接続する製氷風路カバー11とを含み、製氷蒸発器7は、製氷風路シール面10に対応する空間に予め取り付けられ、そして、製氷風路カバー11を被せて、製氷送風路4が形成され、製氷送風路4を介して、製氷蒸発器7と冷蔵室16とが仕切られる。
【００２７】
本出願の実施例において、具体的に、前記製氷風路シール面10の外縁には、前記冷蔵ボックスライナー内に突出するシールリブが形成され、シールリブは、具体的に、冷蔵ボックスライナーの内面から片方の側壁に延出するL字状に形成されてもよく、前記製氷風路カバー11は、前記シールリブの外壁に密閉して係着され、シールが確実であり、接続が容易である。
【００２８】
本出願の実施例において、前記製氷還風路8の下端は、前記製氷送風路4の、前記製氷蒸発器7の下方に位置する側壁に連通し、前記製氷還風路8の上端は、前記製氷室2の底部に連通し、製氷送風路4から流れ出した冷気は、製氷機3、氷貯蔵タンク6を十分に通ってから、製氷室2の底部から流れ出し、製氷還風路8を介して、製氷蒸発器7の下方の製氷送風路4に送られ、熱交換を経て昇温された後の冷気は、下から上に製氷蒸発器7と十分に熱交換して、急速降温され、降温された後の冷気は、製氷送風路から製氷ファンにより製氷機3に送られて、冷凍サイクルが行われる。
【００２９】
本出願の実施例において、前記製氷機3と前記製氷送風路4との接続箇所が、シール構造によりシールされることで、製氷機3と製氷送風路4との接続箇所での空気漏れを効果的に低減し、製氷冷凍システムの送風効率を向上させることができ、前記製氷送風路4において前記製氷蒸発器7の下方に霜取りヒータ9が設けられる。製氷蒸発器7が製氷室2の外部に設けられることで、製氷蒸発器7の霜取りヒータ9が、製氷室2及び製氷室2内の氷貯蔵タンク6から離れ、製氷蒸発器7の加熱除霜時の製氷室2内への伝熱、特に、氷貯蔵タンク6内への伝熱が低減され、加熱除霜時、氷貯蔵タンク6の氷塊の氷塊表面が融解する問題が避けられ、氷塊の表面品質が向上する。
【００３０】
本出願の製氷ファン5が動作する時に、製氷送風路4を介して製氷蒸発器7の上部の冷却空気が吸引され、製氷送風路4を通って製氷室2内の製氷機3と氷貯蔵タンク6内に送りられ、冷却空気は、製氷機3と氷貯蔵タンク6とを冷凍した後に、温度が上昇し、更に製氷還風路8を通って製氷蒸発器7の底部に戻り、再度に製氷ファン5に吸引され、製氷蒸発器7を通過すると共に製氷蒸発器7と熱交換し、製氷蒸発器7に冷却された後の空气は、更に製氷ファン5に吸引されて製氷送風路4に入り、一回の送風と還風の冷凍サイクルが完了する。
【００３１】
本出願の実施例において、前記製氷風路カバー11の内側に冷蔵ボックスライナーのシール板が設けられ、ここでの「内」とは、冷蔵室16に対するものであり、冷蔵室16内に向かう空間を「内」として、冷蔵室16内から離れた空間を「外」とする。前記冷蔵ボックスライナーのシール板と前記製氷風路カバー11との間に隙間が残って、前記製氷還風路8が形成され、製氷還風路8は、製氷風路カバー11の内側に位置し、冷蔵ボックスライナーの内面空間を最大限に活用する。
【００３２】
本出願の実施例において、前記冷蔵室16はシステム冷凍システムによって冷気が供給され、前記システム冷凍システムと前記製氷冷凍システムとはそれぞれ独立に設置され、前記システム冷凍システムは、システム蒸発器15、システムファン14、及び冷藏風路を含み、前記システム蒸発器15は、前記冷藏風路を介して前記冷蔵室16に冷気を供給し、前記システムファン14は、前記冷藏風路に設けられ、冷気供給速度を速くし、冷凍効率を向上させる。具体的に、前記冷藏風路は、前記冷蔵室16の冷蔵ボックスライナーの内面に形成される風路溝と、前記風路溝の表面に密閉して覆設された冷蔵風路カバー12とを、含み、前記冷蔵風路カバー12には、前記冷蔵室16に連通する冷蔵空気出口13が設けられ、冷気は、冷蔵空気出口13から冷蔵室16に向かって吹き付けられる。
【００３３】
本出願の実施例において、図2に示されるように、前記システム蒸発器15が冷蔵庫の前記冷蔵室16に設けられてもよく、この時、冷蔵室16は、図示されるシステム蒸発器15よって冷気が供給され、もちろん、図3に示されるように、システム蒸発器15が冷蔵庫の冷凍室17に設けられてもよく、この時、冷蔵室16は、冷凍室17内に位置するシステム蒸発器15によって冷気が供給される。
【００３４】
本出願の実施例において、図4-6に示されるように、冷凍システム全体は、順次に冷媒管路に設けられてループを形成する圧縮機、凝縮器、制御弁、絞り機構、蒸発器、及び還気管を含み、前記絞り機構は、システム絞り機構と製氷絞り機構とを含み、前記蒸発器は、前記製氷蒸発器と前記システム蒸発器とを含み、前記制御弁は、第一分岐管路を介して順次に前記システム絞り機構と前記システム蒸発器に連通し、前記制御弁は、第二分岐管路を介して順次に前記製氷絞り機構と前記製氷蒸発器に連通し、本実施例において、システム絞り機構は、システムキャピラリであってもよく、製氷絞り機構は、製氷キャピラリであってもよく、もちろん、膨張弁等の絞り機構であってもよい。
【００３５】
図4に示されるように、前記システム蒸発器を通った前記第一分岐管路は、前記製氷蒸発器に連通し、前記製氷蒸発器は、前記冷媒管路を介して前記還気管に連通し、システム蒸発器と製氷蒸発器とは、並列接続してから直列接続する接続方式として形成される。
【００３６】
製氷蒸発器が冷凍をリクエストする場合、システム蒸発器が冷凍をリクエストしないと、制御弁は製氷キャピラリに通じ、製氷蒸発器は個別に冷凍を行い、製氷蒸発器は低い蒸発温度を提供することができ、製氷速度を速くすることに有利である。
【００３７】
製氷蒸発器が冷凍をリクエストする場合、システム蒸発器も冷凍をリクエストすると、制御弁はシステムキャピラリに通じ、システム蒸発器と製氷蒸発器とは同時に冷凍を行い、システム蒸発器の冷凍リクエストを満たすことができると共に、同時に製氷蒸発器に冷凍を行わせることもできる。
【００３８】
製氷蒸発器が冷凍をリクエストしない場合、システム蒸発器が冷凍をリクエストすると、制御弁は、システムキャピラリに通じ、システム蒸発器が冷凍されると共に、製氷ファンをオフするように制御する。製氷蒸発器内部は、冷媒を流して冷凍を行うが、製氷ファンがオフ状態であるため、製氷蒸発器は製氷室を冷凍せず、この時、製氷蒸発器は、システム蒸発器と還気管とを接続する役割のみを果たす。
【００３９】
製氷蒸発器が冷凍をリクエストしない場合、システム蒸発器も冷凍をリクエストしないと、制御弁は変更されないままであり、冷凍システム全体は冷凍を停止する。
【００４０】
又は、図5に示されるように、前記システム蒸発器を通った前記第一分岐管路は、前記還気管に連通し、前記製氷蒸発器を通った前記第二分岐管路は、前記還気管に連通し、システム蒸発器と製氷蒸発器とは、純粋な並列接続の方式として形成される。製氷蒸発器が冷凍をリクエストし、且つシステム蒸発器も冷凍をリクエストする場合、制御弁は、システムキャピラリに通じ、システム蒸発器は冷凍を行い、この時、システム蒸発器に相対的に高い蒸発温度を提供させることができ、システム效率を向上させ、エネルギー損失を低下させる。
【００４１】
製氷蒸発器が冷凍をリクエストし、且つシステム蒸発器が冷凍をリクエストしない場合、制御弁は製氷キャピラリに通じ、製氷蒸発器は冷凍を行い、この時、製氷蒸発器に相対的に低い蒸発温度を提供させることができ、製氷速度を上げる。
【００４２】
製氷蒸発器が冷凍をリクエストせず、且つシステム蒸発器が冷凍をリクエストする場合、制御弁はシステムキャピラリに通じ、システム蒸発器は冷凍を行い、この時、システム蒸発器に相対的に高い蒸発温度を提供させることができ、システム效率を向上させ、エネルギー損失を低下させる。
【００４３】
製氷蒸発器が冷凍をリクエストせず、且つシステム蒸発器も冷凍をリクエストしない時に、制御弁は変更されないままであり、冷凍システム全体は冷凍を停止する。
【００４４】
本出願の実施例において、図6に示されるように、システム蒸発器と製氷蒸発器が純粋に並列接続されている場合、製氷蒸発器は、二重製氷絞り機構で接続されてもよく、前記製氷絞り機構は、第一製氷絞り構造と第二製氷絞り機構とを含み、具体的に、第一製氷キャピラリと第二製氷キャピラリとであってもよく、前記第一製氷絞り構造と第二製氷絞り機構とは、並列接続して前記製氷蒸発器と接続され、製氷蒸発器に異なる蒸発温度を提供するように配置される。製氷蒸発器が冷凍をリクエストし、且つシステム蒸発器も冷凍をリクエストする場合、制御弁はシステムキャピラリに通じ、システム蒸発器は冷凍を行い、この時、システム蒸発器に相対的に高い蒸発温度を提供させることができ、システム效率を向上させ、エネルギー損失を低下させる。
【００４５】
製氷蒸発器が冷凍をリクエストし、且つシステム蒸発器が冷凍をリクエストしない場合、この時の製氷機は製氷をリクエストすると、制御弁は第一製氷キャピラリに通じ、製氷蒸発器は冷凍を行い、この時、第一製氷キャピラリの規格を調整することで、製氷蒸発器に相対的に低い蒸発温度を提供させ、製氷速度を上げることができる。
【００４６】
製氷蒸発器が冷凍をリクエストし、且つシステム蒸発器が冷凍をリクエストしない場合、この時の製氷機は製氷をリクエストしないと、制御弁は第二製氷キャピラリに通じ、製氷蒸発器は冷凍を行い、この時、第二製氷キャピラリの規格を調整することで、製氷蒸発器に相対的に高い蒸発温度を提供させることができ、製氷蒸発器の冷凍は、製氷室の温度のみを維持すればよく、システム効率を向上させ、エネルギー損失を低下させる。
【００４７】
製氷蒸発器が冷凍をリクエストせず、且つシステム蒸発器が冷凍をリクエストする場合、制御弁はシステムキャピラリに通じ、システム蒸発器は冷凍を行い、この時、システム蒸発器に相対的に高い蒸発温度を提供させることができ、システム效率を向上させ、エネルギー損失を低下させる。
【００４８】
製氷蒸発器が冷凍をリクエストせず、且つシステム蒸発器も冷凍をリクエストしない場合、制御弁は変更されないままであり、冷凍システム全体は冷凍を停止する。
【００４９】
以上の実施例から分かるように、本出願は、製氷機の熱負荷と製氷蒸発器の面積とをマッチングすることができ、製氷機の製氷速度を向上させ、製氷蒸発器の耐霜性を向上させ、製氷蒸発器の加熱除霜頻度を低下させ、エネルギー損失を低減させ、氷塊の表面品質を向上させることができる。
【００５０】
以上に記述されるのは、本出願の好ましい実施例に過ぎず、本出願を限定するものではなく、その要旨を逸脱しない範囲での変更、均等物、改善等は何れも本出願の保護範囲に含まれる。
【符号の説明】
【００５１】
1  筐体
2  製氷室
3  製氷機
4  製氷送風路
5  製氷ファン
6  氷貯蔵タンク
7  製氷蒸発器
8  製氷還風路
9  霜取りヒータ
10  製氷風路シール面
11  製氷風路カバー
12  冷蔵風路カバー
13  冷蔵空気出口
14  システムファン
15  システム蒸発器
16  冷蔵室
17  冷凍室
【図１】
2021509944.tif 000003
【図２】
2021509944.tif 000004
【図３】
2021509944.tif 000005
【図４】
2021509944.tif 000006
【図５】
2021509944.tif 000007
【図６】
2021509944.tif 000008
【国際調査報告】
2021509944.tif 000009
2021509944.tif 000010
2021509944.tif 000011
2021509944.tif 000012
2021509944.tif 000013
2021509944.tif 000014